【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】
（Ａ）第１の入力光ビームを受光するための、そして当該受光された第１の入力光ビームから、第１の方向にオフセットされ同じ偏光状態を有する平行な第１及び第２の偏光ビームを生成するための、入力光装置（４０２、６１０）と、
（Ｂ）当該第１及び第２の偏光ビームを受光するための、そして当該受光された偏光ビームからそれぞれ第１及び第２の楕円偏光ビームであってその各々が、当該入力光ビームの周波数とともに、予め定義された自由スペクトル範囲にわたって周期的に変化する逆変化強度、を有する第１及び第２のビーム成分からなる、第１及び第２の楕円偏光ビームを生成するための、複屈折フィルタ装置（４０１）と、
（Ｃ）当該第１及び第２の楕円偏光ビームを受光するための、そして当該第１及び第２の楕円偏光ビームの当該第１のビーム成分を共に組み合わせて第１の楕円偏光出力ビームを生成するための、並びに当該第１及び第２の楕円偏光ビームの当該第２のビーム成分を共に組み合わせて第２の楕円偏光出力ビームを生成するための、出力光装置（４０３、６２０）と、からなることを特徴とする、複屈折フィルタ。
【請求項２】
前記入力光装置（Ａ）が、
（Ａ１）前記第１の入力光ビームを受光するための、そして当該受光された第１の光ビームから、第１の方向にオフセットされ直交偏光の、平行な第１及び第２の偏光ビームを生成するための、入力偏光ビーム分割器（ＰＢＳ１）と、
（Ａ２）当該第１の偏光ビームの偏光状態を当該第２の偏光ビームの偏光状態と同じ偏光状態に回転させるための入力λ／２ウエーブプレート（８０１）とからなり、
前記出力光装置（Ｃ）が、
（Ｃ１）前記第２の楕円偏光ビームの偏光状態を回転させるための出力λ／２ウエーブプレート（８０２）と、
（Ｃ２）前記第１の楕円偏光ビーム及び回転された前記第２の楕円偏光ビームを受光するための、そして前記第１及び第２の楕円偏光ビームの前記第１のビーム成分を共に組み合わせて第１の楕円偏光出力ビームを生成するための、並びに前記第１及び第２の楕円偏光ビームの前記第２のビーム成分を共に組み合わせて第２の楕円偏光出力ビームを生成するための、出力偏光ビーム分割器（ＰＢＳ２）とからなることを特徴とする請求項１のフィルタ。
【請求項３】
前記入力光装置（Ａ）（４０２）が、
（Ａ１１）前記第１の入力光ビームを受光するための、そして当該受光された第１の光ビーム（４１０）から、第１の方向にオフセットされ直交偏光の、平行な第１及び第２の偏光ビーム（４１１、４１２）を生成するための、第１の入力ビーム変位器（４０４）と、
（Ａ１２）当該第１の偏光ビームの偏光状態を当該第２の偏光ビームの偏光状態と同じ偏光状態に回転させる（４２３）ための入力λ／２ウエーブプレート（４０５）と、からなり、
前記出力光装置（Ｃ）（４０３）が、
（Ｃ１１）前記第１及び第２の楕円偏光ビームを受光するための、そして前記第１及び第２の楕円偏光ビームの第１のビーム成分を前記第１の方向と直交の第２の方向に変位させる（４２５）ための、第１の出力ビーム変位器（４０６）と、
（Ｃ１２）その２つの対角位置にλ／２プレートを有しそれにより前記第１の楕円偏光ビームの前記第１のビーム成分及び前記第２の楕円偏光ビームの前記第２のビーム成分が回転される（４２６）ように構成された２×２出力λ／２ウエーブプレート（４０８）と、
（Ｃ１３）前記第１の楕円偏光ビームの当該回転された前記第１のビーム成分及び前記第２の楕円偏光ビームの前記第１のビーム成分を受光するための、そして、前記第１の楕円偏光ビームの当該回転された前記第１のビーム成分及び前記第２の楕円偏光ビームの前記第１のビーム成分を前記第１の方向と対向する第３の方向に変位する（４２７）ための、第２の出力変位器であって、
これにより前記第１の楕円偏光ビームの、変位された当該回転された第１のビーム成分と第２のビーム成分とを組み合わせて第１の楕円偏光出力ビーム（出力１）を生成し、そして前記第２の楕円偏光ビームの当該回転された第１のビーム成分及び当該変位された第２のビーム成分を組み合わせて第２の楕円偏光出力ビーム（出力２）を生成する（４２７）ように構成された、第２の出力ビーム変位器（４０７）と、からなる、
ことを特徴とする請求項１の装置。
【請求項４】
前記入力光装置（Ａ）（６１０）が、
（Ａ２１）前記第１の入力光ビームから水平に変位された第２の入力光ビームを受光するための、そして当該受光された光ビームから、上向きの方向に変位され直交偏光の、平行な第１及び第２の偏光ビームを生成するための、第１の入力ビーム変位器（４０４）と、
（Ａ２２）当該第１の入力ビーム変位器から受光した左上及び右下のビーム成分を捉えて９０度回転させるようにその第１の対角位置に沿って位置する２個のλ／２プレート要素を有する、チェッカー盤模様の第１の２×２入力λ／２ウエーブプレート（６０２）と、
（Ａ２３）当該第１の２×２入力λ／２ウエーブプレートから前記第１の入力ビームの両ビーム成分を受光するための、そして前記第１の入力ビームの当該両ビーム成分を妨げられずに送光するための、そして当該第１の２×２入力λ／２ウエーブプレートから前記第２の入力ビームの両ビーム成分を受光するための、並びに前記第１の入力ビームの当該両ビーム成分と充分にオーバラップするように前記第２の入力ビームの当該両ビームを変位させるための、第２の入力ビーム変位器（６０３）とからなり、
前記出力光装置（Ｃ）（６２０）が、
（Ｃ２１）前記第１及び第２の楕円偏光ビームを受光するための、そして前記第１及び第２の楕円偏光ビームの第１のビーム成分を左に変位させるための、第１の出力ビーム変位器（４０６）と、
（Ｃ２２）当該第１の出力ビーム変位器から受光した左上及び右下のビーム成分を９０度回転させるための第１の２×２出力λ／２ウエーブプレート（４０８）と、
（Ｃ２３）第１の楕円偏光出力ビーム及び第２の楕円偏光出力ビームを生成するように、当該第１の２×２出力λ／２ウエーブプレートから受光したビーム成分を下方へ変位させるための第２の入力ビーム変位器（４０７）とからなる、
ことを特徴とする請求項１のフィルタ。
【請求項５】
前記第１の２×２入力λ／２ウエーブプレート（６０２）及び前記第１の２×２出力λ／２ウエーブプレート（４０８）のうちの少なくとも１個のウエーブプレートが、共通のガラス板上に対角パターン状に搭載された２個の複屈折ユニットを用いて形成され、当該２個の複屈折ユニットの複屈折軸が位置合わせされ、当該２個の複屈折ユニットの複屈折軸が、当該形成された対角パターンの方向を指す、ことを特徴とする請求項４のフィルタ。
【請求項６】
前記第１の２×２入力λ／２ウエーブプレート（６０２）及び前記第１の２×２出力λ／２ウエーブプレート（４０８）のうちの少なくとも１個のウエーブプレートが、前記２個の上側ビーム成分と交差する第１のプレートと前記２個の右側ビーム成分が衝突し交差する第２のプレートとを用いて形成されることを特徴とする請求項４のフィルタ。
【請求項７】
前記フィルタが、入力の波長分割多重信号を、当該波長分割多重信号の偶数波長を有する第１の出力ビームと当該波長分割多重信号の奇数波長を有する第２の出力ビームとを生成するように多重化解除するのに用いられるデマルチプレクサであることを特徴とする請求項１のフィルタ。
【請求項８】
（ＡＡ）入力光ビームを受光するための、そして当該受光された入力光ビームから、オフセットされ直交偏光の、平行な第１及び第２の偏光ビームからなる２個の偏光ビームを生成するための、入力光装置と、
（ＢＢ）当該第１の偏光ビームの偏光状態を当該第２の偏光ビームの偏光状態と同じ偏光状態に回転させるための第１のλ／２ウエーブプレートと、
（ＣＣ）当該回転された第１の偏光ビーム及び当該第２の偏光ビームを受光するための、そして当該受光された偏光ビームからそれぞれ、第１及び第２の楕円偏光ビームであってその各々が、当該入力光ビームの周波数とともに、予め定義された自由スペクトル範囲にわたって周期的に変化する逆変化強度、を有する第１及び第２のビーム成分からなる第１及び第２の楕円偏光ビームを生成するための、複屈折フィルタ装置と、
（ＤＤ）当該第２の楕円偏光ビームの偏光状態を回転させるための第２のλ／２ウエーブプレートと、
（ＥＥ）当該第１楕円偏光ビーム及び当該回転された第２の楕円偏光ビームを受光するための、そして当該第１及び第２の楕円偏光ビームの当該第１のビーム成分を共に組み合わせて第１の楕円偏光出力ビームを生成するための、並びに当該第１及び第２の楕円偏光ビームの当該第２のビーム成分を共に組み合わせて第２の楕円偏光出力ビームを生成するための、出力光装置と、
からなることを特徴とする複屈折フィルタ。
【請求項９】
複屈折フィルタ操作方法であって、
（ａ）入力光ビームを受光し、そして、
当該受光された入力光ビームから、第１の方向にオフセットされ同じ偏光状態を有する平行な第１及び第２の偏光ビームを生成するステップ（４０２、６１０）と、
（ｂ）当該第１及び第２の偏光ビームを受光し、そして、
当該受光された偏光ビームからそれぞれ、第１及び第２の楕円偏光ビームであってその各々が、当該入力光ビームの周波数とともに、予め定義された自由スペクトル範囲にわたって周期的に変化する逆変化強度、を有する第１及び第２のビーム成分からなる、第１及び第２の楕円偏光ビームを生成するステップと、
（ｃ）当該第１及び第２の楕円偏光ビームの当該第１のビーム成分を共に組み合わせて第１の楕円偏光出力ビームを生成し、そして、
当該第１及び第２の楕円偏光ビームの当該第２のビーム成分を共に組み合わせて第２の楕円偏光出力ビームを生成するステップと、
からなることを特徴とする、複屈折フィルタ操作方法。
【請求項１０】
複屈折フィルタ操作方法であって、
（ａａ）第１の入力光ビームを受光し、そして、
当該受光された第１の入力光ビームから、オフセットされ直交偏光の平行な第１及び第２の偏光ビームからなる２個の偏光ビームを生成するステップと、
（ｂｂ）当該第１の偏光ビームの偏光状態を当該第２の偏光ビームの偏光状態と同じ偏光状態に回転させるステップと、
（ｃｃ）当該回転された第１の偏光ビーム及び当該第２の偏光ビームからそれぞれ、第１及び第２の楕円偏光ビームであってその各々が、当該入力光ビームの周波数とともに、予め定義された自由スペクトル範囲にわたって周期的に変化する逆変化強度、を有する第１及び第２のビーム成分からなる第１及び第２の楕円偏光ビームを生成するステップと、
（ｄｄ）当該第２の楕円偏光ビームの偏光状態を回転させるステップと、
（ｅｅ）当該第１及び第２の楕円偏光ビームの当該第１のビーム成分を共に組み合わせて第１の楕円偏光出力ビームを生成し、そして、
当該第１及び第２の楕円偏光ビームの当該第２のビーム成分を共に組み合わせて第２の楕円偏光出力ビームを生成するステップと、
からなることを特徴とする複屈折フィルタ操作方法。